(57)【要約】【課題】目のピント調節機能を簡単にトレーニングできる方法および装置を提供する。【解決手段】本発明の装置１０は、物体を含む映像を光学系１００を通して観察者に見せることによって目のトレーニングをする装置である。装置１０は、光学系１００とコントローラ１１とを含む。コントローラ１１は、（Ａ）物体が近傍から遠方に移動するように見える第１の映像の信号を出力するとともに、観察者の目が遠方に焦点を合わせなければ第１の映像がぼやけて見えるように光学系１００を操作するステップと、（Ｂ）物体が遠方から近傍に移動するように見える第２の映像の信号を出力するとともに、観察者の目が近傍に焦点を合わせなければ第２の映像がぼやけて見えるように光学系１００を操作するステップと、を実行する。【選択図】図１
2013158622.tif 000002
【特許請求の範囲】
【請求項１】
物体を含む映像を光学系を通して観察者に見せることによって観察者の目のトレーニングをする方法であって、
（ａ）前記物体が近傍から遠方に移動するように見える第１の映像を前記観察者に見せるとともに、前記観察者の目が遠方に焦点を合わせなければ前記第１の映像がぼやけて見えるように前記光学系を操作するステップと、
（ｂ）前記物体が遠方から近傍に移動するように見える第２の映像を前記観察者に見せるとともに、前記観察者の目が近傍に焦点を合わせなければ前記第２の映像がぼやけて見えるように前記光学系を操作するとステップと、を含む方法。
【請求項２】
前記（ａ）のステップにおいて、前記第１の映像内における前記物体の近傍から遠方への移動が開始してから、前記光学系の操作が行われ、
前記（ｂ）のステップにおいて、前記第２の映像内における前記物体の遠方から近傍への移動が開始してから、前記光学系の操作が行われる、請求項１に記載の方法。
【請求項３】
物体を含む映像を光学系を通して観察者に見せることによって目のトレーニングをする装置であって、
光学系とコントローラとを含み、
前記コントローラは、
（Ａ）前記物体が近傍から遠方に移動するように見える第１の映像の信号を出力するとともに、前記観察者の目が遠方に焦点を合わせなければ前記第１の映像がぼやけて見えるように前記光学系を操作するステップと、
（Ｂ）前記物体が遠方から近傍に移動するように見える第２の映像の信号を出力するとともに、前記観察者の目が近傍に焦点を合わせなければ前記第２の映像がぼやけて見えるように前記光学系を操作するステップと、を実行する、装置。
【請求項４】
前記（Ａ）のステップにおいて、前記第１の映像内における前記物体の近傍から遠方への移動が開始してから、前記光学系の操作が行われ、
前記（Ｂ）のステップにおいて、前記第２の映像内における前記物体の遠方から近傍への移動が開始してから、前記光学系の操作が行われる、請求項３に記載の装置。
【請求項５】
前記コントローラから出力された信号を受けて前記第１および第２の映像を表示する映像表示装置をさらに含む、請求項３または４に記載の装置。
【発明の詳細な説明】
【技術分野】
【０００１】
本発明は、目のトレーニング方法および装置に関する。
【背景技術】
【０００２】
従来から、目のピント調節機能をトレーニングする装置として、目視する対象と観察者との距離を変化させる装置があった。この装置では、移動する対象を観察者が目視することによって、毛様筋の緊張と弛緩とを繰り返させる。そのような装置が、たとえば、特開２００８−５８７９号公報に記載されている。
【先行技術文献】
【特許文献】
【０００３】
【特許文献１】特開２００８−５８７９号公報
【発明の概要】
【発明が解決しようとする課題】
【０００４】
しかし、毛様筋を充分に緊張および弛緩させるには、目視する対象の移動距離を大きくする必要がある。そのため、必然的に装置は大がかりなものとなり、個人が自宅などで使用することは難しくなる。
【０００５】
このような状況において、本発明は、目のピント調節機能を簡単にトレーニングできる方法および装置を提供することを目的の１つとする。
【課題を解決するための手段】
【０００６】
上記目的を達成するため、本発明は、物体を含む映像を光学系を通して観察者に見せることによって観察者の目のトレーニングをする方法を提供する。この方法は、（ａ）前記物体が近傍から遠方に移動するように見える第１の映像を前記観察者に見せるとともに、前記観察者の目が遠方に焦点を合わせなければ前記第１の映像がぼやけて見えるように前記光学系を操作するステップと、（ｂ）前記物体が遠方から近傍に移動するように見える第２の映像を前記観察者に見せるとともに、前記観察者の目が近傍に焦点を合わせなければ前記第２の映像がぼやけて見えるように前記光学系を操作するとステップと、を含む。
【０００７】
また、本発明は、物体を含む映像を光学系を通して観察者に見せることによって目のトレーニングをする装置を提供する。この装置は、光学系とコントローラとを含み、前記コントローラは、（Ａ）前記物体が近傍から遠方に移動するように見える第１の映像の信号を出力するとともに、前記観察者の目が遠方に焦点を合わせなければ前記第１の映像がぼやけて見えるように前記光学系を操作するステップと、（Ｂ）前記物体が遠方から近傍に移動するように見える第２の映像の信号を出力するとともに、前記観察者の目が近傍に焦点を合わせなければ前記第２の映像がぼやけて見えるように前記光学系を操作するステップと、を実行する。
【発明の効果】
【０００８】
本発明によれば、目のピント調節機能を簡単にトレーニングできる。
【図面の簡単な説明】
【０００９】
【図１】本発明のトレーニング装置の一例の構成を示す図である。
【図２】本発明のトレーニング装置の他の一例の構成を示す図である。
【図３】実施形態１における処理を示すフローチャートである。
【図４】本発明のトレーニング装置によって出力される映像の一例を示す図である。
【図５】実施形態２における処理を示すフローチャートである。
【発明を実施するための形態】
【００１０】
以下、本発明の実施の形態について説明する。なお、以下の説明では、本発明の実施形態について例を挙げて説明するが、本発明は以下で説明する例に限定されない。また、以下の説明では、特定の機能を奏する構成要素として用いることができるものを例示する場合があるが、本発明の効果が得られる限り、例示したものとは異なるものを適用してもよい。
【００１１】
（目のトレーニング方法）
本発明の方法は、物体を含む映像を光学系を通して観察者（使用者）に見せることによって観察者の目のトレーニングをする方法である。この方法は、以下のステップ（ａ）およびステップ（ｂ）を含む。
【００１２】
ステップ（ａ）では、物体が近傍から遠方に移動するように見える第１の映像を観察者に見せるとともに、観察者の目が遠方に焦点を合わせなければ当該第１の映像がぼやけて見えるように光学系を操作する。ステップ（ｂ）では、物体が遠方から近傍に移動するように見える第２の映像を観察者に見せるとともに、観察者の目が近傍に焦点を合わせなければ第２の映像がぼやけて見えるように光学系を操作する。ステップ（ａ）および（ｂ）は、どちらが先に行われてもよい。通常、ステップ（ａ）とステップ（ｂ）とは交互に繰り返し行われる。ステップ（ａ）および（ｂ）が行われている間、表示される映像と光学系の接眼部（観察者の目）との間の距離（光学的な距離ではなく実際の距離）は、通常、一定であり、変化しない。
【００１３】
以下では、本発明のトレーニング方法で用いられる光学系を、光学系（Ｐ）という場合がある。また、ステップ（ａ）および（ｂ）において、光学系（Ｐ）を通して観察者が見る映像を「映像（Ｖ）」という場合がある。また、映像（Ｖ）に含まれる映像のうち、近傍から遠方に移動する物体を含む第１の映像を「映像（Ｖ１）」という場合があり、遠方から近傍に移動する物体を含む第２の映像を「映像（Ｖ２）」という場合がある。また、映像（Ｖ）内で移動する物体を、以下では、「物体（Ｍ）」という場合がある。
【００１４】
本発明の効果が得られる限り、物体（Ｍ）に特に限定はない。物体（Ｍ）の例には、人物、動物、ボール、乗り物、何らかの図形などが含まれる。また、物体（Ｍ）の例には、風景なども含まれる。映像（Ｖ）内の風景を拡大することによって、風景が近傍に移動する。また、その逆の映像では、風景が遠方に移動する。なお、映像（Ｖ）には、映像内の物体（Ｍ）の大きさが変化することによって物体（Ｍ）が近傍と遠方との間で移動するように見せる映像も含まれる。
【００１５】
本発明の方法の好ましい一例では、ステップ（ａ）において、映像（Ｖ１）内における前記物体の近傍から遠方への移動が開始してから、光学系（Ｐ）の操作が行われ、ステップ（ｂ）において、映像（Ｖ２）内における物体（Ｍ）の遠方から近傍への移動が開始してから、光学系（Ｐ）の操作が行われてもよい。
【００１６】
（目のトレーニングをする装置）
本発明の装置は、物体を含む映像を光学系を通して観察者（使用者）に見せることによって目のトレーニングをする装置である。本発明の装置は、光学系とコントローラとを含む。本発明の装置は、本発明の方法（本発明の方法の各ステップ）を実施する。なお、本発明の方法で説明した事項については、本発明の装置に適用できるため、重複する説明を省略する場合がある。また、本発明の装置について説明した事項は、本発明の方法に適用できる。
【００１７】
コントローラは、各ステップを実施するためのプログラムを実行するための演算処理装置（ＣＰＵ）を含む。コントローラは、大規模集積回路（ＬＳＩ）であってもよい。また、コントローラは、プログラムおよび／または映像（Ｖ）のデータが格納された記憶媒体を含んでもよい。記憶媒体の例には、メモリ（ＲＡＭおよびＲＯＭなどが含まれる）、磁気テープ、光記録ディスク（ＣＤ、ＤＶＤ、ブルーレイディスクなど）や磁気記録ディスク（ハードディスク、フレキシブルディスクなど）といった記録ディスクが含まれる。なお、コントローラは、本発明の装置の外部からプログラムを読み込んで実行してもよい。
【００１８】
映像（Ｖ）、および各ステップを実行するためのプログラムからなる群より選ばれる少なくとも１つは、コントローラの外部の記憶媒体に格納されていてもよい。記憶媒体の例には、上述した例が含まれる。本発明の装置は、記憶媒体の読み取り装置を含んでもよく、映像（Ｖ）および／またはプログラムが本発明の装置の外部の記憶媒体に格納（記録）されていてもよい。外部の記憶媒体の例には、インターネット回線や電話回線に接続された記憶媒体（または、インターネット回線や電話回線に接続された読み取り装置で読み取られる記憶媒体）も含まれる。そのような記憶媒体を利用する場合、コントローラは、それらが接続されている回線を通じてデータを入手する。
【００１９】
光学系（Ｐ）は、光学素子を含む。光学系（Ｐ）には、通常、レンズが含まれる。光学系（Ｐ）に用いられるレンズの例には、凸レンズ、凹レンズ、フレネルレンズ、可変焦点レンズなどが含まれる。可変焦点レンズの例には、液晶レンズや液体レンズが含まれる。可変焦点レンズの一例は、透明な液体（シリコーンオイルなど）をレンズ状の形状を有する袋に入れ、その厚さを変えることによって焦点距離を変えるレンズである。また、可変焦点レンズの他の例は、特定の結晶に電圧を印加することによってその屈折率を変え、それによって焦点距離を変えるレンズである。光学系（Ｐ）は、ミラー、ハーフミラー、凹面鏡、凸面鏡などを含んでもよい。また、光学系（Ｐ）は、直角プリズム、ダハプリズム、補助プリズムなどのプリズムを含んでもよい。これらのプリズムを用いることによって、光学系（Ｐ）内の像を、回転または反転させることができる。これらの光学素子には、公知の光学素子を用いることができる。
【００２０】
光学系（Ｐ）は、使用者の１つの目のみに用いられる光学系であってもよい。また、光学系（Ｐ）は、双眼鏡のように２つの目に用いられる光学系であってもよい。その場合、光学系（Ｐ）に含まれる接眼部は２つである。それぞれの目に対応する光学系は、通常、それぞれの目に対応する接眼部を備える。装置の使用者は、通常、接眼部に目を近づけて映像を見る。
【００２１】
コントローラは、光学系（Ｐ）の光学特性（たとえば焦点位置や焦点距離）をコントロールする。一例では、コントローラは、光学系（Ｐ）の焦点位置および焦点距離から選ばれる少なくとも１つを変化させる。光学系（Ｐ）は、光学系（Ｐ）の光学特性を変化させるための駆動装置を備えてもよい。光学系（Ｐ）の一例は、光学系（Ｐ）内の光学素子（たとえばレンズ）の位置を変えるための駆動装置を備える。駆動装置を用いて光学素子の位置を変えることによって、光学系（Ｐ）の焦点位置や焦点距離を変化させることができる。駆動装置は、モータ（ステッピングモータや超音波モータなどが含まれる）、ベルト、ギヤ（ウォームギヤなどが含まれる）、歯車（ラック・アンド・ピニオンなどが含まれる）などを含んでもよい。そのような駆動装置の一例は、カメラのオートフォーカスを行うための駆動装置である。駆動装置はコントローラによって制御される。光学系（Ｐ）が可変焦点レンズを含む場合には、その焦点距離はコントローラによって制御される。
【００２２】
コントローラは、映像（Ｖ）を表示する装置に応じた信号を出力する。出力された信号は、映像表示装置で表示される。映像表示装置の例には、液晶ディスプレイ、ＣＲＴ、有機ＥＬディスプレイ、プロジェクタなどの公知の映像表示装置が含まれる。これらの映像表示装置は、本発明のトレーニング装置に含まれてもよいし、含まれなくてもよい。これらの映像表示装置は、テレビ、パソコン、ゲーム機（携帯型ゲーム機が含まれる）、携帯電話などの機器に含まれるものであってもよい。
【００２３】
コントローラは、以下のステップ（Ａ）および（Ｂ）を実行する。ステップ（Ａ）では、物体（Ｍ）が近傍から遠方に移動するように見える映像（Ｖ１）の信号を出力するとともに、観察者の目が遠方に焦点を合わせなければ映像（Ｖ１）がぼやけて見えるように光学系（Ｐ）を操作する。ステップ（Ａ）で出力された信号が映像表示装置で表示されることによって、ステップ（ａ）が行われる。
【００２４】
ステップ（Ｂ）では、物体（Ｍ）が遠方から近傍に移動するように見える映像（Ｖ２）の信号を出力するとともに、観察者の目が近傍に焦点を合わせなければ映像（Ｖ２）がぼやけて見えるように光学系（Ｐ）を操作する。ステップ（Ｂ）で出力された信号が映像表示装置で表示されることによって、ステップ（ｂ）が行われる。
【００２５】
ステップ（Ａ）とステップ（Ｂ）とは、どちらが先に行われてもよい。通常、ステップ（Ａ）とステップ（Ｂ）とは、交互に繰り返し行われる。ステップ（Ａ）および（Ｂ）が行われている間、表示される映像と光学系の接眼部（観察者の目）との間の距離（光学的な距離ではなく実際の距離）は、通常、一定であり、変化しない。
【００２６】
なお、ステップ（ａ）、（ｂ）、（Ａ）および（Ｂ）において、「映像（Ｖ１）がぼやけてみえるように光学系（Ｐ）を操作する」とは、別の観点では、「映像（Ｖ）が表示されている映像表示装置の画面がぼやけてみえるように光学系（Ｐ）を操作する」という意味である。
【００２７】
一例として、接眼レンズと目との距離（アイレリーフ）が一定である場合について考える。光学系（Ｐ）を通して映像（Ｖ）を見る観察者の目に映像（Ｖ）が明瞭に見えている初期状態から光学系（Ｐ）を変化させ、接眼レンズから光学系（Ｐ）の焦点位置までの距離を短くしたと仮定する。この場合には、観察者の水晶体が薄くならなければ観察者の目には像がぼやけて見える。すなわち、観察者の目が初期状態よりも遠方に焦点を合わせなければ映像がぼやけて見えるようにするためには、接眼レンズから光学系（Ｐ）の焦点位置までの距離を短くすればよい。逆に、観察者の目が初期状態よりも近傍に焦点を合わせなければ映像がぼやけて見えるようにするためには、接眼レンズから光学系（Ｐ）の焦点位置までの距離を長くすればよい。
【００２８】
本発明のトレーニング装置は、コントローラから出力された信号を受けて映像（第１の映像（Ｖ１）および第２の映像（Ｖ２））を表示する映像表示装置をさらに含んでもよい。この場合、本発明のトレーニング装置では、ステップ（ａ）および（ｂ）が行われる。すなわち、ステップ（Ａ）および（Ｂ）がそれぞれ、本発明の方法のステップ（ａ）および（ｂ）であってもよい。一例では、光学系（Ｐ）の先（たとえば対物レンズの先）に、小型の映像表示装置が配置される。小型の映像表示装置の例には、液晶表示装置や有機ＥＬ表示装置が含まれる。映像表示装置は、メガネ形の映像表示装置であってもよい。小型の映像表示装置を含む本発明のトレーニング装置は、携帯型の装置とすることが可能である。
【００２９】
本発明のトレーニング装置は、使用者の指示や使用者のデータを入力するための入力装置、およびそれらのデータを格納するための記憶媒体を含んでもよい。
【００３０】
本発明のトレーニング装置は、使用者の視力を検査するためのプログラムを含んでもよい。一例では、コントローラは、プログラムに基づいて、視力検査用のマークを映像表示装置に表示する。使用者は、表示されたマークを見て、マークに応じた入力を入力装置に行う。コントローラは、使用者の入力がマークと合致しているか判別し、その結果とそのときの光学系（Ｐ）の状態とに基づいて使用者の視力を推定する。そして、使用者の視力を映像表示装置に表示する。コントローラは、使用者の視力の推移を記録してもよく、その記録をグラフに表示してもよい。また、コントローラは、複数の使用者に対応するように、使用者ごとのデータを記録してもよい。
【００３１】
別の観点では、本発明は、目のトレーニングシステムに関する。このトレーニングシステムは、本発明のトレーニング装置に含まれる構成要素を含む。このトレーニングシステムでは、コントローラが、他の用途に利用可能なものであってもよい。たとえば、トレーニングシステムに含まれるコントローラが、ゲーム機であってもよい。その場合、トレーニングシステムは、ゲーム機にプログラムを提供する記憶媒体を含む。記憶媒体の例には、上述した例が含まれる。また、別の観点では、本発明は、本発明の方法を実行するためのプログラムに関する。より具体的には、本発明は、ステップ（ａ）とステップ（ｂ）とを含むステップを実行するためのプログラム、または、ステップ（Ａ）とステップ（Ｂ）とを含むステップを実行するためのプログラムに関する。さらに、本発明は、そのようなプログラムが格納された記憶媒体に関する。記憶媒体の例には、上述した例が含まれる。
【００３２】
以下では、本発明について例を挙げて説明する。以下の例は、本発明の方法、装置、システム、およびプログラムに関する。
【００３３】
（実施形態１）
実施形態１で用いられるトレーニング装置の一例の構成を、図１に模式的に示す。図１のトレーニング装置１０は、コントローラ１１と、記憶媒体に格納された映像（Ｖ）およびプログラムを読み取るための読み取り装置２０と、光学系１００とを備える。コントローラ１１は、映像信号を出力する出力端子１１ａを含む。出力端子１１ａは、映像表示装置２００の入力端子（図示せず）に接続される。
【００３４】
実施形態１のトレーニング装置１０では、ステップ（Ａ）および（Ｂ）を実行するためのプログラムおよび映像（Ｖ）は、装置に含まれない記録ディスクに記録されている。コントローラ１１は、記録ディスクに記録されたプログラムを読み取り装置２０で読み込んで実行する。また、コントローラ１１は、記録ディスクに記録された映像（Ｖ）を読み取り装置２０で読み込んで利用する。ただし、本発明のトレーニング装置は、プログラムおよび／または映像（Ｖ）が格納された記憶媒体を含んでもよい。
【００３５】
トレーニング装置１０の一例では、光学系１００は、コントローラ１１等と一体となっていてもよいし、コントローラ１１等と分離されていてもよい。また、光学系１００、または光学系１００を含む装置は、頭に装着可能な形態となっていてもよい。
【００３６】
光学系１００は、片方の目に対応する第１の光学系１１０と、他方の目に対応する第２の光学系１２０とを含む。第１の光学系１１０および第２の光学系１２０から選ばれる少なくとも一方は、使用者の視力に応じた調整を行うための視度調節機構を備えてもよい。視度調節機構の一例は、ダイヤルを回すことによって接眼レンズの位置が微調整される機構である。第１の光学系のアイカップ（接眼部）と、第２の光学系のアイカップ（接眼部）との間隔は可変である。
【００３７】
光学系１００の一例について、以下に説明する。なお、第２の光学系１２０は、実質的に第１の光学系１１０と同一の構成を有するため、光学系１２０に関する説明は省略する。
【００３８】
図１を参照して、光学系１１０は、レンズ１１１が設置された鏡筒１１２と、レンズ１１３が設置された鏡筒１１４とを含む。レンズ１１１の部分には、接眼部となるアイカップ（図示せず）が配置されている。使用者は、レンズ１１１側から光学系１１０を介して映像を見る。鏡筒１１２は鏡筒１１４にはめ込まれており、鏡筒１１４はスライド可能である。光学系１１０は、鏡筒１１４を前後にスライドさせるための駆動装置を含む。駆動装置１１５の一例は、モータおよびピニオンギアを含む。鏡筒１１４の表面に、ラックギアとなる凹凸を形成し、そのラックギアとピニオンギアとをかみ合わせることによって、鏡筒１１４をスライドさせることができる。なお、第１の光学系１１０と第２の光学系１２０のそれぞれが駆動装置を含んでもよいし、第１および第２の光学系１１０および１２０が１つの駆動装置によって駆動されてもよい。
【００３９】
鏡筒１１４がスライドすることによって、レンズ１１１とレンズ１１３との距離が変化する。この距離が変化することによって、レンズ１１１を覗く使用者の目から光学系１１０の焦点位置までの距離が変化する。レンズ１１１および１１３はそれぞれ独立に、凸レンズまたは凹レンズとすることができる。一例では、レンズ１１１および１１３がともに凸レンズであり、他の一例では、レンズ１１１が凹レンズでレンズ１１３が凸レンズである。なお、光学系１１０は、レンズ１１１および１１３に加えて他の光学素子（たとえば他のレンズ）を含んでもよい。
【００４０】
なお、光学系１００は、第１の光学系１１０および第２の光学系１２０のそれぞれが可変焦点レンズである光学系であってもよい。そのような装置の一例を図２に示す。図２の一例では、第１の光学系１１０および第２の光学系１２０のそれぞれが可変焦点レンズである。それらのレンズの焦点距離は、コントローラ１１からの信号によって変えられる。
【００４１】
トレーニング装置１０の動作の一例について、図３および図４を参照しながら説明する。以下の一例では、最初にステップ（Ａ）が実施されるが、最初にステップ（Ｂ）が実施されてもよい。
【００４２】
トレーニング装置１０が映像表示装置を含む一体型の装置でない場合には、トレーニング装置１０の使用時において、使用者は、映像を表示する映像表示装置２００から所定の距離だけ離れる。なお、映像表示装置２００と使用者との距離を赤外線センサなどによって測定し、測定された距離に基づいて光学系１００を制御してもよい。
【００４３】
使用者がトレーニング装置１０の使用を開始すると、コントローラ１１は、初期の映像の信号を出力し（ステップＳ３０１）、初期の映像を映像表示装置２００に表示させる。初期の段階では、物体（Ｍ）が近傍と遠方との間を移動しない映像（たとえば静止画）が表示される。そして、当該映像が明瞭に見えるように調節が行われる（ステップＳ３０２）。この調節は、使用者の位置、映像表示装置２００の位置、視度調節機構、および光学系１００からなる群より選ばれる少なくとも１つを調節することによって行うことができる。なお、使用者によってこの調節が行われる場合、ステップＳ３０２は、プログラム（本発明の方法）に含まれないと考えることもできる（実施形態２でも同様である）。
【００４４】
次に、読み取り装置２０に格納された映像（Ｖ１）のデータ信号を出力端子１１ａから出力するとともに、光学系１００を所定の方法で駆動する（ステップＳ３０３）。具体的には、映像（Ｖ１）内の物体（Ｍ）が近傍から遠方に移動するにつれて、目のピントを変えなければ（すなわち水晶体の厚さを変えなければ）、映像表示装置２００の映像を明瞭に見ることができないように光学系１００を駆動する。より具体的には、遠方を見るときの状態に目のピントを調節しなければ映像表示装置の映像（たとえば物体（Ｍ））を明瞭に見ることができないように光学系１００を駆動する。光学系１００を変化させる程度は、使用者の目の能力に応じて調整することが好ましい（光学系１００を変化させる他のステップでも同様である）。
【００４５】
物体が車である場合の映像（Ｖ１）の変化の一例を、図４（ａ）〜図４（ｃ）に示す。図４（ａ）〜図４（ｃ）の映像内の車は、近傍から遠方に移動して徐々に小さくなる。なお、図４（ａ）〜図４（ｂ）の間、図４（ｂ）〜図４（ｃ）の間においても、車が徐々に移動する映像が映し出される。すなわち、映像内において、車はなめらかに移動する。ただし、本発明の効果が得られる限り、映像内の物体が不連続に移動してもよい。映像（Ｖ２）では、映像（Ｖ１）と逆に映像が進行する。具体的には、図４（ｃ）→図４（ｂ）→図４（ａ）の順に映像内の車が移動する。
【００４６】
遠方を見るときの状態に目のピントを調節しなければ映像を明瞭に見ることができないように光学系を駆動したとしても、映像（Ｖ１）を見せない場合には、光学系を覗く使用者は、どのようにピント調節をすれば映像を明瞭に見ることができるのかが分からない。その結果、うまくピントを調節することができない。そのような問題を解決するため、トレーニング装置１０では、映像（Ｖ１）と光学系１００の駆動とを組み合わせている。映像（Ｖ１）を見ている使用者は、映像（Ｖ１）内の物体が遠くに移動するに従ってピントが合わなくなるため、目のピントを遠方の物を見るときの状態に無意識に変化させる。そのため、映像表示装置の映像と使用者との距離が変化しないにも関わらず、使用者の目は、遠方にピントがあった状態となる。この状態では、毛様筋が弛緩してチン小帯が緊張し、水晶体が薄くなる。
【００４７】
次に、コントローラは、読み取り装置２０に格納された映像（Ｖ２）のデータ信号を出力端子１１ａから出力するとともに、光学系１００を所定の方法で駆動する（ステップＳ３０４）。具体的には、映像（Ｖ２）内の物体（Ｍ）が遠方から近傍に移動するにつれて、目のピントを変えなければ（すなわち水晶体の厚さを変えなければ）、映像表示装置２００の映像を明瞭に見ることができないように光学系１００を駆動する。より具体的には、近傍を見るときの状態に目のピントを調節しなければ映像表示装置の映像（たとえば物体（Ｍ））を明瞭に見ることができないように光学系１００を駆動する。
【００４８】
映像（Ｖ２）を見ている使用者は、映像（Ｖ２）内の物体（Ｍ）が近傍に移動するに従ってピントが合わなくなるため、目のピントを近傍の物を見るときの状態に無意識に変化させる。そのため、映像表示装置と使用者との距離が変化しないにも関わらず、使用者の目は、近傍にピントがあった状態となる。この状態では、毛様筋が収縮してチン小帯が弛緩し、水晶体が厚くなる。
【００４９】
以上のように、トレーニング装置１０の使用者の目は、光学系を通して映像表示装置の画面を見ているだけで、遠方にピントがあった状態と近傍にピントがあった状態との間で変化する。その結果、目のピント調節機能がトレーニングされる。
【００５０】
ステップＳ３０５では、トレーニングを継続するかどうかの判断がなされ、トレーニングを中止する旨の指示がなければ、ステップＳ３０３およびＳ３０４が繰り返される。なお、トレーニングを継続するかどうかの判断は、常時行われていてもいてもよい（他の実施形態でも同様である）。
【００５１】
（実施形態２）
実施形態２では、ステップ（Ａ）において、映像（Ｖ１）内における物体（Ｍ）の近傍から遠方への移動が開始してから、光学系（Ｐ）の操作が行われ、ステップ（Ｂ）において、映像（Ｖ２）内における物体（Ｍ）の遠方から近傍への移動が開始してから、光学系（Ｐ）の操作が行われる。実施形態２で用いられる装置には、実施形態１と同様の装置を用いることができるため、重複する説明を省略する。また、実施形態１で説明したステップと同じステップについては、同じ番号を付して重複する説明を省略する。
【００５２】
図５を参照して、実施形態２において、使用者がトレーニング装置１０の使用を開始すると、コントローラ１１は、初期の映像の信号を出力し（ステップＳ３０１）、初期の映像を映像表示装置２００に表示させる。次に、物体（Ｍ）が明瞭に見えるように調節が行われる（ステップＳ３０２）。
【００５３】
次に、ステップＳ３０３が行われるが、実施形態２では、ステップＳ３０３がステップＳ３０３ａとＳ３０３ｂとを含む。すなわち、まず、読み取り装置２０に格納された映像（Ｖ１）の信号を出力端子１１ａから出力する（ステップＳ３０３ａ）。そして、映像（Ｖ１）内の物体（Ｍ）が近傍から遠方に移動を開始した後であって近傍から遠方への移動を続けているうちに、光学系を所定の方法で駆動する（ステップＳ３０３ｂ）。具体的には、物体（Ｍ）が近傍から遠方に移動する映像（Ｖ１）の表示を開始した後に、目のピントを変えなければ（すなわち水晶体の厚さを変えなければ）映像表示装置２００の映像を明瞭に見ることができないように光学系１００を駆動する。より具体的には、遠方を見るときの状態に目のピントを調節しなければ映像表示装置の映像（たとえば物体（Ｍ））を明瞭に見ることができないように光学系１００を駆動する。
【００５４】
次に、ステップＳ３０４が行われるが、実施形態２では、ステップＳ３０４がステップＳ３０４ａとＳ３０４ｂとを含む。すなわち、まず、読み取り装置２０に格納された映像（Ｖ２）の信号を出力端子１１ａから出力する（ステップＳ３０４ａ）。そして、映像（Ｖ２）内の物体（Ｍ）が遠方から近傍に移動を開始した後であって遠方から近傍への移動を続けているうちに、光学系を所定の方法で駆動する（ステップＳ３０４ｂ）。具体的には、物体（Ｍ）が遠方から近傍に移動する映像（Ｖ２）の表示を開始した後に、目のピントを変えなければ（すなわち水晶体の厚さを変えなければ）映像表示装置２００の映像を明瞭に見ることができないように光学系１００を駆動する。より具体的には、近傍を見るときの状態に目のピントを調節しなければ映像表示装置の映像（たとえば物体（Ｍ））を明瞭に見ることができないように光学系を駆動する。
【００５５】
なお、別に観点では、実施形態２の方法は、ステップＳ３０３の前にステップＳ３０３ａを実行し、ステップＳ３０４の前にステップＳ３０４ａを実行する形態であると考えることも可能である。
【００５６】
ステップＳ３０５では、トレーニングを継続するかどうかの判断がなされ、トレーニングを中止する旨の指示がなければ、ステップＳ３０３ａ、ステップＳ３０３ｂ、ステップＳ３０４ａ、およびＳ３０４ｂが繰り返される。
【００５７】
以上、本発明の実施形態について例を挙げて説明したが、本発明は上記実施形態に限定されず、本発明の技術的思想に基づいて他の実施形態に適用できる。たとえば、本発明では、光学系の焦点距離の変化に加えて、視差の変化を組み合わせてもよい。
【産業上の利用可能性】
【００５８】
本発明は、目のトレーニング方法およびトレーニング装置に利用できる。
【符号の説明】
【００５９】
１０  トレーニング装置
１１  コントローラ
１１ａ  出力端子
２０  読み取り装置
１００  光学系
１１０  第１の光学系
１１１、１１３  レンズ
１１２、１１４  鏡筒
１１５  駆動装置
１２０  第２の光学系
２００  映像表示装置
【図１】
2013158622.tif 000003
【図２】
2013158622.tif 000004
【図３】
2013158622.tif 000005
【図４】
2013158622.tif 000006
【図５】
2013158622.tif 000007